(57)【特許請求の範囲】
【請求項１】
平面視で長方形状をした浴室ユニットにおいて、上記長方形の一方の短辺の巾方向の１／２の位置よりも一方の長辺側にずらした位置から、上記長方形の他方の短辺の巾方向の１／２の位置よりも他方の長辺側にずらした位置に至る仮想分割線で浴室ユニットを分割して、一方の短辺側の巾が広く且つ他方の短辺側の巾が狭くなった浴槽と、一方の短辺側の巾が狭く且つ他方の短辺側の巾が広くなった洗い場とに分割し、上記浴槽を上方が開口した浴槽部の上端開口縁の周囲にフランジ部を設けて構成し、前記仮想分割線のうち浴槽部の長手方向の大部分に沿った部分を平面視長方形状をした浴室ユニットの長方形の長辺に対して傾斜した傾斜仮想分割線とし且つ該仮想分割線のうち他方の短辺側に近い方の部分を長辺に平行な平行仮想分割線とし、上記平行仮想分割線の傾斜仮想分割線側の端部を浴槽部の他方の短辺側の端部よりも一方の短辺側にずれた位置とし、フランジ部のうち浴槽部の上端開口の洗い場側の縁部と仮想分割線との間のフランジ部である洗い場側フランジ部の上記平行仮想分割線に対応する部分を洗い場側フランジ部の傾斜仮想分割線に対応する部分よりも巾広となった平面視で略三角形をした洗い場側巾広フランジ部とし、該洗い場側巾広フランジ部に吐水金具を設けて吐水金具を洗い場の巾広となった部分に対向させて成ることを特徴とする浴室ユニット。
【請求項２】
吐水金具の操作部を洗い場の巾広部に面した浴槽の側面に設けて成ることを特徴とする請求項１記載の浴室ユニット。
【請求項３】
吐水金具が水平面で回動自在となり、洗い場の上記吐水金具の近くに洗い場側排水口を設け、吐水金具の先端の吐出口の回動軌跡の下方位置に洗い場、浴槽部が位置し、且つ、吐水金具の先端の吐出口の回動軌跡の下方位置又は下方近傍に、洗い場排水口が位置していることを特徴とする請求項１又は請求項２記載の浴室ユニット。
【請求項４】
洗い場の巾広部に面した浴槽の側面に小物収納部を設けて成ることを特徴とする請求項１乃至請求項３のいずれかに記載の浴室ユニット。
【発明の詳細な説明】
【技術分野】
【０００１】
本発明は、浴槽と洗い場とを備えた浴室ユニットに関するものである。
【背景技術】
【０００２】
従来、設置スペースが狭い（例えば０．７５坪）場所に設置する浴室ユニットは例えば、図９（ａ）（ｂ）に示すように、平面視で長方形状をした浴室ユニットＹを長手方向に略２分して一方の短辺側に片寄った部分を浴槽部４、他方の短辺側に片寄った部分を洗い場２としている。この場合、浴槽１に設けた浴槽部４部の長辺側の寸法を長く取ることができず、このため、入浴に当たっては浴槽部４部内の底面の一端部付近に座って背中を立てた状態で膝を折り曲げるという窮屈な姿勢で入浴しなければならず、足を伸ばしたり、背中を後に反らせ頭部を浴槽部４部の上縁部に凭れかけるというようなリラックスした姿勢で入浴することができないという問題があった。また、上記従来例においては、浴室ユニットＹので出入口部３は図９（ａ）（ｂ）に示すように、短辺側、又は長辺側の片側半分にしか設けることができず、上記のように設置スペースが狭い場合、出入口部３として巾の狭いドア（例えば０．７５坪の場合は巾８００ｍｍのドア）しか取付けることができず、巾の広いドアを取付けることができないという問題があった。
【０００３】
また、従来は図９のように洗い場２が平面視長方形状をしているため、洗い場２で身体を洗う場合、長方形状のほぼ中央に座って身体を洗うのであるが、吐水金具８は浴槽１のフランジ部６の端部に設けてあるため、平面視で長方形状をした洗い場２のほぼ中央に座った人から隅の吐水金具８までの距離が長くなり、このため、吐水金具８から吐水する湯水を使って身体を洗うのが不便となり、これを少しでも解消するためには吐水金具８の突出長さを長くする必要がある。また、吐水金具８の操作部２０’も浴槽１のフランジ部６の上方位置にあるので、身体を洗浄する際に平面視で長方形状をした洗い場２のほぼ中央に座った人が吐水金具８の操作部２０’を操作するのがし難いという問題がある。更に、従来にあっては、平面視で吐水金具８と洗い場側排水口１１とが離れているため、吐水金具８から流れた湯水が洗い場側排水口１１に流れるまで洗い場２上面を流れることになり、見た感じが悪いだけでなく、入浴者の足元を湯水が流れるため好ましくなかった。
【０００４】
また、平面視で正方形状をした浴室ユニットにおいて、一辺に対して傾斜した仮想分割線により、一辺側の巾が広く他辺側の巾が狭くなった浴槽側と、一辺側の巾が狭く他辺側の巾が広くなった洗い場側とに分割するものが知られている（例えば特許文献１参照）。
【０００５】
しかしながら、この従来例においては、設置スペースが狭い場所に設置しようとすれば、平面視で縦横の長さが同じ正方向であるため、浴槽１の長手方向の寸法を足を伸ばしたり、背中を後に反らせ頭部を浴槽部の上縁部に凭れかけるというようなリラックスした姿勢で入浴できる程度の長さ確保しようとしても、十分な長さが確保できないという問題があり、結局特許文献１に示された従来例のものは設置スペースが広い箇所にしか適用できず、設置スペースが狭い個所には適用できないという問題がある。
【特許文献１】特開２００３−２６０００３号公報
【発明の開示】
【発明が解決しようとする課題】
【０００６】
本発明は上記の従来の問題点に鑑みて発明したものであって、浴槽、洗い場の双方を使い勝手良く且つコンパクトに配置して、狭いスペースであっても、リラックスした姿勢で入浴が可能な浴槽と、身体を洗うのに十分な広さを確保できる洗い場とを備えることができ、また、洗い場で身体を洗う際に吐水金具から吐水する湯水を無理な姿勢をすることなく使用でき、また、吐水金具の操作も容易にでき、更に、吐水金具から吐水した湯水が洗い場上を流れる距離をできるだけ短くできる浴室ユニットを提供することを課題とするものである。
【課題を解決するための手段】
【０００７】
上記課題を解決するために本発明に係る浴室ユニットは、平面視で長方形状をした浴室ユニットＹにおいて、上記長方形の一方の短辺Ａの巾方向の１／２の位置よりも一方の長辺Ｃ側にずらした位置から、上記長方形の他方の短辺Ｂの巾方向の１／２の位置よりも他方の長辺Ｄ側にずらした位置に至る仮想分割線Ｅで浴室ユニットＹを分割して、一方の短辺Ａ側の巾が広く且つ他方の短辺Ｂ側の巾が狭くなった浴槽１と、一方の短辺Ａ側の巾が狭く且つ他方の短辺Ｂ側の巾が広くなった洗い場２とに分割し、上記浴槽１を上方が開口した浴槽部４の上端開口縁の周囲にフランジ部６を設けて構成し、前記仮想分割線Ｅのうち浴槽部４の長手方向の大部分に沿った部分を平面視長方形状をした浴室ユニットＹの長方形の長辺Ｃに対して傾斜した傾斜仮想分割線Ｅ１とし且つ該仮想分割線Ｅのうち他方の短辺Ｂ側に近い方の部分を長辺Ｃに平行な平行仮想分割線Ｅ２とし、上記平行仮想分割線Ｅ２の傾斜仮想分割線Ｅ１側の端部を浴槽部４の他方の短辺Ｂ側の端部よりも一方の短辺Ｂ側にずれた位置とし、フランジ部６のうち浴槽部４の上端開口の洗い場２側の縁部と仮想分割線Ｅとの間のフランジ部６である洗い場側フランジ部６ｃの上記平行仮想分割線Ｅ２に対応する部分を洗い場側フランジ部６ｃの傾斜仮想分割線Ｅ１に対応する部分よりも巾広となった平面視で略三角形をした洗い場側巾広フランジ部６ｃ’とし、該洗い場側巾広フランジ部６ｃ’に吐水金具８を設けて吐水金具８を洗い場２の巾広となった部分に対向させて成ることを特徴とするものである。
【０００８】
このような構成とすることで、狭いスペースに設置する浴室ユニットＹであっても、浴槽１は一方の短辺Ａ側の巾が広く且つ他方の短辺Ｂ側の巾が狭くなっていることで、巾の広い方を巾の広い肩が位置する頭部側、巾が狭い方を巾の狭くてもよい足先部側とすることで、足を伸ばしたり、背中を後に反らせ頭部を浴槽部４の上縁部に凭れかけるというようなリラックスした姿勢で入浴できると共に、洗い場は一方の短辺Ａ側の巾が狭く且つ他方の短辺Ｂ側の巾が広くなっていることで、巾が広くなった方で身体を洗うことで身体を洗うのに十分なスペースを確保でき、また、このように入浴者が洗い場２の巾が広くなった部分に座って身体を洗う際、浴槽１のフランジ部６の他方の短辺側に近い巾が狭くなった部分に吐水金具８を設けて吐水金具８を洗い場２の巾広となった部分に対向させてあるので、洗い場２の巾広部分に座って身体を洗っている人の正面に吐水金具８が位置することになって、吐水金具８の使い勝手が良い。また、洗い場２の巾広となった部分の面積をできるだけ広く確保できると共に、洗い場側フランジ部６ｃのうち幅広となった平面視で略三角形をした洗い場側巾広フランジ部６ｃ’部分を有効利用して吐水金具８を効果的に配置して洗い場２の巾広となった部分に座って身体を洗う入浴者と対面する位置に吐水金具８を設けることができる。
【００１１】
また、吐水金具８の操作部２０を洗い場２の巾広部に面した浴槽１の側面に設けることが好ましい。
【００１２】
このような構成とすることで、洗い場２の巾広となった部分に座って身体を洗う入浴者と対面する位置に操作部２０を設けることができ、しかも、フランジ部６の上方に位置する場合に比べて洗い場２に近いため操作部２０の操作性が良くなる。
【００１３】
また、吐水金具８が水平面で回動自在となり、洗い場２の上記吐水金具８の近くに洗い場側排水口１１を設け、吐水金具８の先端の吐出口８ａの回動軌跡の下方位置に洗い場２、浴槽部４が位置し、且つ、吐水金具８の先端の吐出口８ａの回動軌跡の下方位置又は下方近傍に洗い場排水口１１が位置していることが好ましい。
【００１４】
このような構成とすることで、吐水金具８を回動することで、洗い場２側に座って身体を洗っている人が吐水金具８から供給される湯水を使用したり、あるいは、浴槽部４に吐水金具８から湯水を供給したりできるだけでなく、吐水金具８から洗い場２側に吐水した湯水が洗い場側排水口１１側に流れる際に、洗い場２上面を流れる距離が短く、また、洗い場側排水口１１を掃除する際に、洗い場側排水口１１に直接吐水して洗浄することができる。
【００１５】
また、洗い場２の巾広部に面した浴槽１の側面に小物収納部２５を設けることが好ましい。
【００１６】
このような構成とすることで、洗い場２の巾広となった部分に座って身体を洗う入浴者と対面する位置に小物収納部２５を設けることができて使い勝手がよい。
【発明の効果】
【００１７】
本発明は、狭いスペースに設置する浴室ユニットであっても、浴槽、洗い場の双方を使い勝手良く且つコンパクトに配置して、リラックスした姿勢で入浴が可能であると共に身体を洗うのに十分な広さを確保でき、更に、洗い場で身体を洗う際に吐水金具を無理な姿勢をすることなく使用できて使い勝手がよい。
【発明を実施するための最良の形態】
【００１８】
以下、本発明を添付図面に示す実施形態に基いて説明する。
【００１９】
図１乃至図３には浴室ユニットＹが示してある。この浴室ユニットＹは設置スペースが狭い（例えば０．７５坪）箇所に設置されるもので、平面視長方形状をしている（例えば、平面視で短辺Ａ、Ｂがそれぞれ８９３ｍｍ、長辺Ｃ、Ｄが１６５０ｍｍとなっている）。
【００２０】
この平面視長方形状をした浴室ユニットＹは、図６の模式図に示すように、平面視で長方形の一方の短辺Ａの巾方向の１／２の位置よりも一方の長辺Ｃ側にずらした位置から、長方形の他方の短辺Ｂの巾方向の１／２の位置よりも他方の長辺Ｄ側にずらした位置に至る仮想分割線Ｅで浴室ユニットＹを２つのエリアＦ、Ｇに分割してあり、一方のエリアＦは、一方の短辺Ａ側の巾が広く且つ他方の短辺Ｂ側の巾が狭くなった浴槽１が配置され、他方のエリアＧは、一方の短辺Ａ側の巾が狭く且つ他方の短辺Ｂ側の巾が広くなった洗い場２が配置される。
【００２１】
上記のように浴槽１側と洗い場２側とを仮想分割線Ｅにより分割するのであるが、仮想分割線Ｅに沿って浴槽１の洗い場２側の側面を構成するエプロン５が配置される。
【００２２】
浴槽１は、上方が開口した槽である浴槽部４の上端開口縁の周囲にフランジ部６を設けて構成してある。浴槽部４は平面視略台形状をしており、一方の短辺Ａに近い方の台形の下底側が槽の巾が広くなっており、また、他方の短辺Ｂに近い方の台形の上底側が槽の巾が狭くなっており、上記槽の巾の広い方が入浴時に入浴者の頭が位置する頭部Ｈ側、槽の巾が狭い方が入浴時に足先部Ｉ側となっている。浴槽部４の頭部Ｈ側の壁面部は平面視で上記長方形の一方の短辺Ａに対して一方の長辺Ｃ側に行くほど一方の短辺Ａから離れるように傾斜しており、このため、浴槽１のフランジ部６のうち一方の短辺Ａ側のフランジ部６である頭部側フランジ部６ａは洗い場２側に行くほど巾広となっている。
【００２３】
浴槽１は長辺Ａに沿っているため、浴槽部４は長辺Ａに沿って足を伸ばして入浴できるように長く形成できる（例えば、約１３００ｍｍ）。しかしながら、浴槽１は長辺Ａに沿っているため上記のように浴槽部４の長さを長く取っても更に余裕があり、このため、浴槽１のフランジ部６のうち他方の短辺Ｂ側のフランジ部６である足先側フランジ部６ｂは上記頭部側フランジ部６ａよりも長辺Ａに沿った方向の寸法が長くなっている。
、また、浴槽部４の頭部Ｈ側は一方の短辺Ａに近い浴槽１の巾広側であり、且つ、該浴槽１の巾広側は上記一方の短辺Ａの１／２以上の巾であるため、浴室ユニットＹが狭い設置スペースに設置するタイプで一方の短辺Ａの巾寸法が短いものであっても、浴槽部４の頭部Ｈ側に入浴者の頭部が位置し且つ足先が足先部Ｉ側に位置するような姿勢で入浴することで、入浴者の肩、臀部等が位置する部分の槽の巾を十分に確保することができるようになっている。ちなみに、上記例で浴槽部４の頭部Ｈ側の巾は例えば約６００ｍｍ程度は確保でき、成人の大人の臀部、肩等を余裕を持って配置できる。一方、浴槽部４の足先部Ｉ側の巾は狭い（例えば、約２２０ｍｍ）がこの部分は入浴者の足先が位置するだけでよいので、巾が狭くても問題はない。
【００２４】
上記浴槽１を配設するエリアＦと洗い場２を配設するエリアＧとを区分けする前記仮想分割線Ｅのうち図１に示すように、浴槽部４の長手方向の大部分に沿った部分は平面視長方形状をした浴室ユニットＹの長方形の長辺Ｃ、Ｄに対して傾斜した傾斜仮想分割線Ｅ１となり、該仮想分割線Ｅのうち他方の短辺Ｂ側に近い方の部分を長辺Ｃ、Ｄに平行な平行仮想分割線Ｅ２となっている。
【００２５】
上記平行仮想分割線Ｅ２は足先側フランジ部６ｂの長辺Ｃ、Ｄに沿った方向の寸法よりも長くて該平行仮想分割線Ｅ２の傾斜仮想分割線Ｅ１側の端部が浴槽部４の他方の短辺Ｂ側の端部よりも一方の短辺Ｂ側にずれた位置となっている。このため、図１に示すようにフランジ部６のうち浴槽部４の上開口の洗い場２側の縁部とエプロン５（仮想分割線Ｅ）との間のフランジ６である洗い場側フランジ部６ｃの他方の短辺Ｂ側に片寄った部分である傾斜仮想分割線Ｅ１に対応する部分は洗い場側フランジ部６ｃの他の部位よりも巾広となった平面視で略三角形をした洗い場側巾広フランジ部６ｃ’となっており、この洗い場側巾広フランジ部６ｃ’が足先フランジ部６ｂに連続している。
【００２６】
上記平面視略三角形状をした洗い場側巾広フランジ部６ｃ’に上方に向けて吐水金具８が突設してあり、この吐水金具８は平面視で回動自在に取付けてあって、吐水金具８を浴槽部４側に回動して洗い場側巾広フランジ部６ｃ’より浴槽部４側に突出させて浴槽部４に給水（給湯）したり、あるいは、洗い場２側に回動して洗い場２側巾広フランジ部６ｃ’よりも洗い場２側に突出させて洗い場２側に給水（給湯）したりできるようになっている。
【００２７】
吐水金具８の開閉弁部や湯水混合部等の吐水用機能部２２は図５、図６に示すように、」長辺Ｃに沿った方向の寸法がフランジ部６の他の部位よりも長い足先側フランジ部６ｂの下方の空間を有効利用して配置してある。したがって、平面視略三角形状をした洗い場側巾広フランジ部６ｃ’上に突設した吐水金具８と吐水用機能部２２とは平面視で長辺Ｃに沿った方向にずれており、これにより、吐水金具８をできるだけ他方の短辺Ｂから離した位置に設けることができて、洗い場２の幅広部分に座った入浴者のほぼ正面位置に吐水金具８を配置することができることになる。また、上記のように吐水金具８を洗い場側巾広フランジ部６ｃ’に設けることで、洗い場側フランジ部６ｃのうち巾広となった部分を有効に利用して吐水金具８を取付けることができて、風呂蓋９をフランジ部６に載置する際に吐水金具８の取付け部分に邪魔されることなく風呂蓋９で浴槽部４を閉じることができる。
【００２８】
洗い場側フランジ部６ｃの洗い場２側端部には下方に向けて浴槽１の洗い場２側の側面の一部を構成する垂下片２３一体に垂設してあり、この垂下片２３の洗い場２の巾広部に対向する位置に上記吐水用機能部２２の操作を行うための操作部２０が設けてある。操作部２０は湯温調整、湯量調整、出湯、出湯停止等の操作を行なう。
【００２９】
エプロン５の洗い場２の幅広部に対応する部位には石鹸、シャンプー等の浴室で使用する小物を収納するための小物収納部２５が設けてあって、洗い場２の巾広部分に座っ身体を洗う入浴者と対面する位置に小物収納部２５を設けてあることになって使い勝手が向上する。
【００３０】
洗い場２は床パンにより構成してあり、前述のように洗い場２の巾広側である他方の短辺Ｂ側は上記他方の短辺Ｂの１／２以上の巾であるため、浴室ユニットＹが狭い設置スペースに設置するタイプで他方の短辺Ｂの巾寸法が短いものであっても、洗い場２の他方の短辺Ｂ側は身体を動かして洗うのに十分な巾を確保でき（例えば上記実施形態では約７８０ｍｍ程度確保でき）、しかも、上記のように洗い場側巾広フランジ部６ｃ’に取付けた吐水金具８は洗い場２の巾広となった部分に対向すると共に足先フランジ部６ｂよりも他方の短辺Ｂから離れているので、洗い場２の巾広となった部分で身体を洗う際に、洗い場側巾広フランジ部６ｃ’に設けた吐水金具８側を向くように座って身体を洗う動作を行なうことで、吐水金具８から吐水される湯水で顔を洗ったり、吐水金具８から吐水される湯水を洗面器に溜めたり、該洗面器に溜めた湯水を利用して身体を洗ったりする動作が無理無く楽に行えることになる。また、吐水金具８を回動して洗い場２の巾広部分側に向けた場合、身体を洗うために洗い場２の巾広部に座った入浴者の略正面に吐水金具８の吐水部８ａを位置させることできるので、吐水金具８の回動する部分の先端の吐水部８ａまでの突出長さを短くできる。
【００３１】
浴槽部４の底部の足先部Ｉ側の端部には浴槽排水口１０が設けてあり、洗い場２の上記浴槽排水口１０及び吐水金具８の近くの部位には洗い場側排水口１１が設けてあり、この洗い場排水口１１は吐水金具８の先端の吐出口８ａの回動軌跡の下方位置又は下方近傍に位置している。洗い場側排水口１１には排水トラップ（図示せず）が取付けられ、排水トラップに排水管が接続してある。浴槽１は浴槽載置床パン（図示せず）に載置され、浴槽載置床パンの浴槽部４の浴槽排水口１０の直下位置に排水部を設け、浴槽排水口１０からの排水が排水部に流れるようになっており、該排水部と上記排水トラップとが接続管により接続してある。ここで、上記のように浴槽排水口１０と洗い場側排水口１１とを近づけて配置してあるので、排水部と排水トラップとを接続する配管が短くてすみ、更に、吐水金具８の近くに洗い場側排水口１１に設けてあるので、吐水金具８から流れた湯水が洗い場２に流れても該湯水が洗い場２上を流れる距離を短くできることになる。また、洗い場側排水口１１を掃除する際に、吐水金具８の先端の吐出口８ａから洗い場側排水口１１に直接吐水して洗浄することができる。
【００３２】
浴室ユニットＹには洗い場２に面した一方の長辺Ｃ又は他方の短辺Ｂに沿って出入口部３が設けてある。図１、図７に示す実施形態ではの出入口部３は洗い場２に面した上記一方の長辺の他方の短辺側にずれた位置に設けてあって、出入口部３が洗い場２の巾広となった部分に対向し、狭い設置スペースに配置する狭い浴室ユニットＹであっても、洗い場２の巾広となった部分に出入することができて、スムーズに出入ができるようになっている。
【００３３】
ここで、上記のように洗い場２に面した上記一方の長辺Ｃ側に出入口部３を設けるので、出入口部３の巾を広く取ることができ、図１のように３枚引戸１５を出入口部３を設けることができ、狭いスペースに設置する浴室ユニットＹであっても、巾の広い３枚引戸１５を出入口部３に設置できて出入用開口を広く取ることが可能となる。また、図７のように出入口部３に２つ折り戸１６を設けてもよい。更に、図８のように洗い場２の巾広となった部分に面した他方の短辺Ｂ側に出入口部３を設けてもよく、この場合もで出入口部３から洗い場２の巾広となった部分に出入することができ、スムーズに出入ができる。図８のように洗い場２の巾広となった部分に面した他方の短辺Ｂ側に出入口部３を設けた場合、前述のように吐水金具８の先端の吐水口８ａの突出長さが短くてよいので、２つ折り戸１６を折り畳んでも吐水金具８に２つ折り戸１６が当たらないようにできる。
【００３４】
浴室ユニットＹの一方の短辺Ａ側の洗い場２の巾狭部分に対応する位置には蓋収納部１２が設けてあり、浴槽１の上に載置して浴槽部４の上開口を閉じるための複数に分割した風呂蓋９を収納することができるようになっている。蓋収納部１２は下支持部１２ａと上支持部１２ｂとを備え、下支持部１２ａはフランジ部６と同じレベルとなっており、蓋収納部１２の下支持部１２ａに載設支持した風呂蓋９の一部が図１、図３に示すようにフランジ部６上にも載設支持されるようになっている。
【００３５】
また、浴室ユニットＹの他方の短辺Ｂの浴槽１に対応する部分には図１、図３に示すようにシャワーホース１３の一端部が取付けてある。取付け位置は浴室ユニットＹの壁パネルに取付けてもよく、あるいは、足先側フランジ部６ｂに取付けてもよい。このように浴室ユニットＹの他方の短辺Ｂの浴槽１に対応する部分にはシャワーホース１３の一端部を取付けても、前述のように足先側フランジ部６ｂの長辺Ｃ方向の寸法が長く取れるので、この足先側フランジ部６ｂの上方の空間を利用してシャワーホース１３の収納、あるいは使用の際の洗い場２側への引出し等ができる。
【００３６】
また、図１のように３枚引戸１５を取付ける出入り口部３を一方の長辺Ｃ側に設けた場合、洗い場２の幅広となった部分に対応する他方の短辺Ｂ側の壁パネルにタオル掛け１７を取付けることができる。
【００３７】
また、図７のように２つ折り戸１６を取付ける出入り口部３を一方の長辺Ｃの他方の短辺Ｂ側に片寄って設けた場合、一方の長辺Ｃの一方の短辺Ａ側に片寄った部分に位置する壁パネルにタオル掛け１７を設けることもできる。
【００３８】
更に、図８のように２つ折り戸１６を取付ける出入口部３を他方の短辺Ｂの壁パネルの洗い場２の巾広部分に対応した部分に設けた場合、一方の長辺Ｃ側に位置する壁パネルにタオル掛け１７を設けることができる。
【００３９】
このように出入り口部３の位置に応じて邪魔にならず且つ使いやすい位置にタオル掛け１７を設けることができる。
【図面の簡単な説明】
【００４０】
【図１】本発明の浴室ユニットの平面図である。
【図２】同上のイ−イ線の断面図である。
【図３】同上のロ−ロ線の断面図である。
【図４】同上の吐水金具部分の一部破断した拡大平面図である。
【図５】同上の断面図である。
【図６】本発明において浴室ユニットを仮想分割線で２分割して２つのエリアに分割することを説明するための模式図である。
【図７】本発明の他の実施形態の浴室ユニットの平面図である。
【図８】本発明の他の実施形態の浴室ユニットの平面図である。
【図９】（ａ）（ｂ）は従来例の平面図である。
【符号の説明】
【００４１】
１  浴槽
２  洗い場
６  フランジ部
８  吐水金具
２０  操作部
２５  小物収納部
Ａ  一方の短辺
Ｂ  他方の短辺
Ｃ  一方の長辺
Ｄ  他方の長辺
Ｅ  仮想分割線
【図１】
0004725299.tif 000002
【図２】
0004725299.tif 000003
【図３】
0004725299.tif 000004
【図４】
0004725299.tif 000005
【図５】
0004725299.tif 000006
【図６】
0004725299.tif 000007
【図７】
0004725299.tif 000008
【図８】
0004725299.tif 000009
【図９】
0004725299.tif 000010